(57)【要約】【課題】端子間の短絡を防止する。【解決手段】合成樹脂製のコネクタハウジング１と、複数の端子が連結部１０を介して連鎖状に連なりかつ全体がコネクタハウジング１内に組み込まれた状態で連結部１０が選択的に切り離される連鎖状端子Ｔとを備える。所望とする短絡パターンを得る場合には、連鎖状端子Ｔの連結部１０が選択的に切り離される。切り離された連結部１０はコネクタハウジング１に形成された保持部１８に圧入による保持がなされる。このため、切り離された連結部１０が端子に接触して不用意に端子間が短絡してしまう事態が回避される。【選択図】図３
2013197001.tif 000002
【特許請求の範囲】
【請求項１】
合成樹脂製のコネクタハウジングと、
複数の端子が連結部を介して連鎖状に連なりかつ全体が前記コネクタハウジング内に組み込まれた状態で前記連結部が選択的に切り離される連鎖状端子とを備え、
前記コネクタハウジングには切断された前記連結部を保持する保持部が形成されていることを特徴とするコネクタ。
【請求項２】
前記端子には相手端子と接続するタブ部が形成される一方、前記コネクタハウジングには前記タブ部が圧入状態で貫通する端子支持壁が形成され、
この端子支持壁のうち前記連結部と対向する部位が前記保持部とされ、前記端子支持壁には切り離された前記連結部とこの連結部によって連結されていた前記端子との間に介在される短絡防止壁が形成されていることを特徴とする請求項１記載のコネクタ。
【請求項３】
前記連結部には前記保持部に突き刺さって保持される突入部が突出して形成されるとともに、この突入部は先端側に尖るくさび状に形成されていることを特徴とする請求項２に記載のコネクタ。
【請求項４】
前記連結部の側縁部は前記短絡防止壁に圧入可能であることを特徴とする請求項２又は請求項３に記載のコネクタ。
【発明の詳細な説明】
【技術分野】
【０００１】
本発明はコネクタに関するものである。
【背景技術】
【０００２】
従来より、複数の端子金具同士を切断可能な連結部（キャリア）を介して連結した形式のものが知られている。特許文献１には、このような連鎖状に連結された複数の端子金具をコネクタ内に組み込み、コネクタのハウジング内に組込み状態のままで連結部を選択的に切り離すことで、所望とする接続パターンを得るようにした技術が開示されている。
【先行技術文献】
【特許文献】
【０００３】
【特許文献１】特開平９−２１３４３６号公報
【発明の概要】
【発明が解決しようとする課題】
【０００４】
しかし、上記のものでは連結部の切り離しがコネクタのハウジング内においてなされるため、万一、除去された連結部がハウジング内に放置されてしまうと短絡の虞が生じる、という問題点があった。
【０００５】
本発明は上記のような事情に基づいて完成されたものであって、連鎖状端子から切り離された連結部によって端子間が短絡してしまう事態を有効に回避することができるコネクタを提供することを目的とする。
【課題を解決するための手段】
【０００６】
本発明のコネクタは、合成樹脂製のコネクタハウジングと、複数の端子が連結部を介して連鎖状に連なりかつ全体がコネクタハウジング内に組み込まれた状態で連結部が選択的に切り離される連鎖状端子とを備え、コネクタハウジングには切断された連結部を保持する保持部が形成されていることを特徴とする。
【０００７】
本発明によれば、複数の端子から連結部を選択的に切り離すことで、種々の短絡パターンを設定することができる。その場合において、切り離された連結部はコネクタハウジングの保持部によって保持されてずれることがないため、切り離された連結部によって端子同士が不用意に短絡してしまう事態を回避することができる。
【図面の簡単な説明】
【０００８】
【図１】コネクタの正面図
【図２】図１のＡ−Ａ線断面図
【図３】連結部が切り離された状態を示す平断面図
【発明を実施するための形態】
【０００９】
まず、本発明における好ましい実施の形態を説明する。
端子に相手端子と接続するタブ部が形成される一方、コネクタハウジングにはタブ部が圧入状態で貫通する端子支持壁が形成され、この端子支持壁のうち連結部と対向する部位が前記保持部とされ、端子支持壁には切り離された連結部とこの連結部によって連結されていた端子との間に介在される短絡防止壁が形成されている構成である。
このように、連結部と端子との間に短絡防止壁が介在されれば、万一、保持部による連結部の保持が緩んで変位するような事態が生じたとしても、連結部が誤って端子同士を短絡させてしまう事態を回避することができる。
【００１０】
連結部には保持部に突き刺さって保持される突入部が突出して形成されるとともに、この突入部は先端側に尖るくさび状に形成されている構成としてもよい。
【００１１】
このような構成によれば、連結部の突入部が保持部に突き刺さると、突入部の先端のくさび作用により、端子支持壁の肉がタブ部側へ寄せられるため、タブ部に対する保持力が高められる。
【００１２】
連結部の側縁部は短絡防止壁に圧入可能な構成としてもよい。
この構成によれば、連結部は保持部によって保持されることに加え、短絡防止壁にも圧着される。したがって、連結部自体の保持力が一層高められる。
【００１３】
＜実施例＞
次に、本発明のコネクタを具体化した実施例について図面を参照しつつ説明する。
本実施例のコネクタ（ジョイントコネクタ）は合成樹脂製のコネクタハウジング１を有している。コネクタハウジング１は図２に示すように、互いに反対方向へ開口する第１・第２のフード部２，３を有し、両フード部２，３は端子支持壁４によって区画されている。この端子支持壁４には複数の端子５が圧入によって支持されている。図１に示すように、端子５は両フード部２．３内において幅方向に６本、高さ方向に二段が配置されている。
【００１４】
本実施例における各端子５は、コネクタハウジング１への組み込みの際には２本を一組とした連鎖状端子Ｔとなっている。すなわち、１対の端子５を切り離し可能な連結部１０によって連結した構成となっている。なお、連鎖状端子Ｔにおける連鎖の数は限定されるべきものではない。
【００１５】
各端子５は金属製の平板材によって形成され、長手方向両側には第１・第２のタブ部６，７が形成され、それぞれ相手端子と接続可能である。第１タブ部６側は第２タブ部７よりも長く形成され、両タブ部６，７間には長手方向と直交する方向へ幅広部８が張出している。第１タブ部６において幅広部８寄りには抜け止め爪９が形成されている。
【００１６】
連結部１０は、連鎖状端子Ｔにおける両幅広部８の対向縁の奥側端部に薄肉部１１を介して連結されている。連結部１０の後縁（図２における下側の縁）は図示しない切断用治具によって押込みを行うための押込み縁１２となっている。また、連結部１０の幅方向両側縁は後端側に行くにつれ徐々に幅広となるようなくさび状に形成されて圧入縁１３となっている。連結部１０において、圧入縁１３より先端側には段差を介して突入部１４が突出形成されている。突入部１４は先端が尖った矢じり状をなすとともに、圧入縁１３と同様、後端へ行くにつれて幅広となるくさび形状に形成されている。
【００１７】
端子支持壁４において第２フード部３側の奥壁には、各連鎖状端子Ｔを取付けるための装着凹部１５が凹み形成されている。各装着凹部１５は図１に示すように、幅方向へ横長となるように形成され、図２に示すように、奥部へ行くにつれて段階的に幅狭となるように形成されている。装着凹部１５における手前側部分の幅方向両端部にはストッパ面１６が段差状に形成されている。両ストッパ面１６は連鎖状端子Ｔを各装着凹部１５へ圧入したときに、各端子５の幅広部８の先端縁が当接することで、連鎖状端子Ｔを正規組み付け位置において前止まりさせる。
【００１８】
各装着凹部１５においてストッパ面１６より奥部でその幅方向内側に隣接した部位には第１フード部２内へ貫通する端子差し込み孔１７が一対設けられている。両端子差し込み孔１７の内部は第１タブ部６が圧入される程度の大きさである。
【００１９】
各装着凹部１５の最も奥部で両端子差し込み孔１７に挟まれた部位で、連結部１０と対向する部位は連結部１０を保持するための保持部１８が凹み形成されている。この保持部１８は、連鎖状端子Ｔが端子支持壁４に支持された状態で、連結部１０の突入部１４がほぼ付け根位置まで突っ込まれるようにしてある。また、図３に示すように、連鎖状端子Ｔから連結部１０が切り離されたときには、突入部１４の先端が保持部１８の奥壁に突き刺さることで連結部１０全体がコネクタハウジング１内に保持される。
【００２０】
保持部１８を構成する凹み部分の幅方向両側壁は短絡防止壁１９となっている。すなわち、両短絡防止壁１９は、切り離された連結部１０と両端子５との間に位置することで、端子５同士が連結部１０によって不用意に短絡されてしまう事態を回避している。また、対向する両短絡防止壁１９の間は、切り離された連結部１０の両圧入縁１３が短絡防止壁１９に食い込むことができるような間隔に設定されている。
【００２１】
次に、上記のように構成された本実施例の作用効果を説明する。コネクタハウジング１に各連鎖状端子Ｔを組み込む場合には、各連鎖状端子Ｔの第１タブ部６側から第２フード部内へ進入させるとともに、両第１タブ部６を対応する端子差し込み孔１７へ適合させて圧入する。そして、幅広部８がストッパ面１６に当接すれば、各端子５は端子差し込み孔１７に対して正規深さまで差し込まれたことになる。この状態では、抜け止め爪９が端子差し込み孔１７の孔壁に食い込むため、圧入による保持と併せて端子５の抜け止めがさらに強化される。
【００２２】
次に、予め設定された短絡パターンに基づいて連結部１０を切り離すべき連鎖状端子Ｔが選択される（本実施例の場合、図３における幅方向の両端に位置する連鎖状端子Ｔ）。選択された連鎖状端子Ｔにおいては、連結部１０の押込み縁１２に図示しない切断用治具が当接されて押込みがなされる。これにより、薄肉部１１が分断され両端子５から切り離された連結部１０は、押圧状態のまま保持部１８内を前進し、突入部１４の先端が保持部１８の奥壁に突き刺さる。この状態では、突入部１４のやじり形状により、保持部１８の奥壁内に引っ掛かりを持って食い込むため、連結部１０は抜け止めされた状態で保持される。また、連結部１０自体も突入部１４の圧入に加えて、圧入縁１３においても圧入されるため、連結部１０自体の保持力も高められる。
【００２３】
さらに、両圧入縁１３及び突入部１４は共にくさび形状に形成されていることから、これらの圧入に伴って端子支持壁４の肉は両端子側に寄せられる。この結果、端子５に対する圧接力が高められて保持力が向上する。
【００２４】
かくして、本実施例によれば、連鎖状端子Ｔから切り離された連結部１０がコネクタハウジング１の保持部１８に突き刺さって保持されるため、連結部１０がずれ動き、これが原因で端子５同士が不用意に短絡してしまう事態を確実に回避することができる。
【００２５】
＜他の実施例＞
本発明は上記記述及び図面によって説明した実施例に限定されるものではなく、例えば次のような実施例も本発明の技術的範囲に含まれる。
（１）上記実施例では、連鎖状端子Ｔを２個の端子５を連結させて構成したが、３個以上を連結させてもよい。
（２）上記実施例では、連結部１０の切り離しを端子５の長手方向に沿って行う場合を示したが、肉厚方向に行うようにしてもよい。
【００２６】
（３）上記実施例では、連結部１０を保持部１８に対して圧入によって保持する場合を示したが、コネクタハウジングに弾性爪を設けて連結部１０を弾性係止させるようにすることも可能である。
【符号の説明】
【００２７】
１…コネクタハウジング
４…端子支持壁
５…端子
１０…連結部
１３…圧入縁
１４…突入部
１８…保持部
１９…短絡防止壁
【図１】
2013197001.tif 000003
【図２】
2013197001.tif 000004
【図３】
2013197001.tif 000005